(57)【要約】  【課題】  低費用で確実に洗浄用水を補給する。  【解決手段】  容器２７は、監視カメラ３へ噴出される洗浄用水を蓄える。洗浄用水補給装置３５は、空気中に含まれる水分を集めて容器２７に補給する。洗浄用水補給装置３５は、固体高分子電解質膜を利用して、除湿側で水分子を分解、加湿側で水分子を合成する湿度制御素子を備える。【選択図】  図１
2005241701.tif 000002
【特許請求の範囲】
【請求項１】
監視カメラへ噴出される洗浄用水を蓄える容器と、
空気中に含まれる水分を集めて前記容器に補給する洗浄用水補給手段と、
を備えることを特徴とする監視カメラ洗浄用水噴出装置。
【請求項２】
前記洗浄用水補給手段は、固体高分子電解質膜を有し、前記固体高分子電解質膜の除湿側で水分子を分解し、加湿側で水分子を合成する湿度制御素子を備えることを特徴とする請求項１に記載の監視カメラ洗浄用水噴出装置。
【請求項３】
前記洗浄用水補給手段は、ペルチェ素子を備え、空気中の水分を凝結させることを特徴とする請求項１に記載の監視カメラ洗浄用水噴出装置。
【請求項４】
前記容器を振動させる振動発生手段を備えることを特徴とする請求項１ないし３のいずれかに記載の監視カメラ洗浄用水噴出装置。
【請求項５】
前記監視カメラに供給された洗浄用水を回収し、前記容器に再補給する再補給手段を備えることを特徴とする請求項１ないし４のいずれかに記載の監視カメラ洗浄用水噴出装置。
【請求項６】
前記容器内の水量検出する水量検出手段と、
前記容器内の水量に応じて前記洗浄水補給手段を制御する補給制御手段と、
を備えることを特徴とする請求項１ないし５のいずれかに記載の監視カメラ洗浄用水噴出装置。
【請求項７】
前記容器内の水量を検出する水量検出手段と、
前記容器内の水量に基づいて、前記容器内の洗浄用水による洗浄可能回数を算出する回数算出手段と、
算出された前記洗浄可能回数を出力する出力手段と、
を備えることを特徴とする請求項１ないし５のいずれかに記載の監視カメラ洗浄用水噴出装置。
【請求項８】
夜間に前記容器に水を補給するように洗浄用水補給手段を制御する補給制御手段を有することを特徴とする請求項１ないし５のいずれかに記載の監視カメラ洗浄用水噴出装置。
【請求項９】
降雨を検出する降雨検出手段と、
降雨が検出されたときに前記容器に水を補給するように洗浄用水補給手段を制御する補給制御手段と、
を有することを特徴とする請求項１ないし５のいずれかに記載の監視カメラ洗浄用水噴出装置。
【請求項１０】
監視カメラと、前記監視カメラを洗浄する洗浄手段を備え、
前記洗浄手段は、監視カメラへ噴出される洗浄用水を蓄える容器と、空気中に含まれる水分を集めて前記容器に補給する洗浄用水補給手段とを備えることを特徴とする監視カメラ装置。
【請求項１１】
空気中に含まれる水分を集めて、監視カメラへ向けて噴出することを特徴とする監視カメラ洗浄用水噴出方法。
【発明の詳細な説明】
【技術分野】
【０００１】
本発明は、監視カメラに洗浄用水を噴出する装置に関し、特に、洗浄用水の補給技術に関する。
【背景技術】
【０００２】
従来より、一部の監視カメラは、屋外などの環境での使用のために、洗浄装置が備えられている。洗浄装置としては、洗浄用水噴出装置を備えるものが知られている。従来一般には、洗浄水タンクにある洗浄用水がポンプで吸い上げられ、監視カメラのガラス面に噴射され、そして、ガラス面がワイパー装置でふき取られて、土埃等が除去される（例えば特許文献１参照）。
【０００３】
洗浄用水噴出装置には、洗浄用水の補給が必要である。従来は、洗浄用水の補給のために、例えば、図９に示されるように、洗浄水タンク２０１に水道水パイプ２０３が接続されており、水道管（図示せず）から洗浄用水が補給される。また例えば、図１０に示されるように、洗浄水タンク２０５にバケツ２０７等を用いて人力で水が補給されている。その他、雨水を収集し、洗浄用水として利用することも提案されている（特許文献２参照）。
【特許文献１】特開２０００−１１１９９３号公報（第３ページ、図２）
【特許文献２】特開平１０−１３３２５８号公報（第２−３ページ、図１）
【発明の開示】
【発明が解決しようとする課題】
【０００４】
しかしながら、水道水パイプを接続する場合は、水道管の配管工事が必要であり、その費用負担が大きいという問題がある。また、屋外監視地域には、山林、河川等の水道が敷設されていない場所も多く、このような場所では水道管からの補給はできない。さらに、監視カメラが２０ｍ以上の高所に取り付けられることがあり、このような場合、水道管からの水をポンプで汲み上げることが困難である。また、人力による洗浄用水の補給は、作業者の確保に費用がかかり、また、補給忘れが発生する可能性もある。また、雨水を使う場合、長期間に渡って雨が降らなかったときに洗浄用水が不足してしまう。特に、降雨の少ない場所に監視カメラを設ける場合に不利である。
【０００５】
本発明は、従来の問題を解決するためになされたもので、低費用で確実に洗浄用水を補給できる監視カメラ洗浄用水噴出装置を提供することを目的とする。
【課題を解決するための手段】
【０００６】
本発明の監視カメラ洗浄用水噴出装置は、監視カメラへ噴出される洗浄用水を蓄える容器と、空気中に含まれる水分を集めて前記容器に補給する洗浄用水補給手段とを備える。
【０００７】
この構成により、空気中に含まれる水分を集めて洗浄用水の容器に補給するので、低費用で確実に洗浄用水を補給できる。
【０００８】
また、本発明において、前記洗浄用水補給手段は、前記洗浄用水補給手段は、固体高分子電解質膜を有し、前記固体高分子電解質膜の除湿側で水分子を分解し、加湿側で水分子を合成する湿度制御素子を備える。洗浄用水補給手段は、加湿側の湿度上昇によって凝結を発生させて、洗浄用水を補給することができ、この観点では凝結手段ということができる。この構成により、湿度制御素子を備える簡単な構成で洗浄用水を補給できる。
【０００９】
また、本発明において、前記洗浄用水補給手段は、ペルチェ素子を備え、空気中の水分を凝結させる。この構成でも、洗浄用水補給手段は凝結手段ということもできる。この構成により、ペルチェ素子を備える簡単な構成で洗浄用水を補給できる。
【００１０】
また、本発明の監視カメラ洗浄用水噴出装置は、前記容器を振動させ振動発生手段を備える。この構成により、容器の内面に付着した水滴が振動によって下方へ移動し、容器に貯まった洗浄用水に加わるので、容器の内面に付着した水滴の収集を促進できる。
【００１１】
また、本発明の監視カメラ洗浄用水噴出装置は、前記監視カメラに供給された洗浄用水を回収し、前記容器に再補給する再補給手段を備える。この構成により、洗浄用水を再補給でき、効率よく洗浄用水を利用できる。
【００１２】
また、本発明の監視カメラ洗浄用水噴出装置は、前記容器内の水量を検出する水量検出手段と、前記容器内の水量に応じて前記洗浄水補給手段を制御する補給制御手段とを備える。この構成により、洗浄に必要な適当量の洗浄用水を蓄えた状態を維持できる。
【００１３】
また、本発明の監視カメラ洗浄用水噴出装置は、前記容器内の水量を検出する水量検出手段と、前記容器内の水量に基づいて、前記容器内の洗浄用水による洗浄可能回数を算出する回数算出手段と、算出された前記洗浄可能回数を出力する出力手段とを備える。この構成により、容器内の洗浄用水を使って洗浄可能な回数を容易に把握できる。
【００１４】
また、本発明の監視カメラ洗浄用水噴出装置は、夜間に前記容器に水を補給するように洗浄用水補給手段を制御する補給制御手段を有する。この構成により、相対温度が比較的高い夜間に補給手段を動作させるので、効率よく洗浄用水を補給できる。
【００１５】
また、本発明の監視カメラ洗浄用水噴出装置は、降雨を検出する降雨検出手段と、降雨が検出されたときに前記容器に水を補給するように洗浄用水補給手段を制御する補給制御手段とを有する。この構成により、湿度が比較的高い降雨時に補給手段を動作させるので、効率よく洗浄用水を補給できる。
【００１６】
本発明は上記の監視カメラ洗浄用水噴出装置の態様に限定されない。例えば、本発明の監視カメラ装置は、監視カメラと、前記監視カメラを洗浄する洗浄手段を備え、前記洗浄手段は、監視カメラへ噴出される洗浄用水を蓄える容器と、空気中に含まれる水分を集めて前記容器に補給する洗浄用水補給手段とを備える。この態様でも、低費用で洗浄用水を確実に補給できる。
【００１７】
また、本発明の監視カメラ洗浄用水噴出方法は、空気中に含まれる水分を集めて、監視カメラへ向けて噴出する。この態様でも、低費用で洗浄用水を確実に補給できる。
【発明の効果】
【００１８】
本発明は、空気中に含まれる水分を集めて洗浄用水の容器に補給する洗浄用水補給手段を設けることにより、低費用で確実に洗浄用水を補給できるという効果を有する監視カメラ用洗浄用水噴射装置を提供することができるものである。
【発明を実施するための最良の形態】
【００１９】
以下、本発明の実施の形態の監視カメラ洗浄用水噴出装置について、図面を用いて説明する。
【００２０】
図１は、第１の実施の形態の監視カメラ洗浄用水噴出装置が備えられた監視カメラ装置を示している。監視カメラ装置１は、監視カメラ３と洗浄装置５で構成され、後述するように、洗浄装置５に、本実施の形態の監視カメラ洗浄用水噴出装置（以下、噴出装置という）７が備えられている。
【００２１】
図１において、監視カメラ３は、地面に垂直に立てられたポール１１の上端に取り付けられている。監視カメラ３は、カメラハウジング１３と、カメラハウジング１３に収容されるカメラ本体１５およびレンズ１７で構成されている。カメラハウジング１３の前側には透明な前面ガラス１９が取り付けられている。
【００２２】
洗浄装置５は、カメラハウジング１３に取り付けられたワイパ２１とモータ２３を有し、モータ２３がワイパ２１を駆動する。そして、噴出装置７は、カメラハウジング１３の下側にて、ポール１１に取り付けられている。
【００２３】
噴出装置７は、ケース２５を有し、ケース２５の後方の一部が仕切られて、洗浄用水の容器２７が形成されている。容器２７にパイプ２９が取り付けられており、パイプ２９は、前方の延び、ケース２５から出て、上方に曲がり、カメラハウジング１３の前面ガラス１９に達している。パイプ２９の先端はノズル３１であり、ノズル３１は前面ガラス１９に向けて配置されている。また、ケース２５内にはポンプ３３が備えられており、ポンプ３３のモータが駆動されると、ポンプ３３が動作して、容器２７の洗浄用水がパイプ２９を通ってノズル３１に至り、監視カメラ３に向けて噴出される。
【００２４】
本実施の形態の特徴として、噴出装置７は、湿度制御素子を有する洗浄用水補給装置（以下、補給装置という）３５を備え、補給装置３５は、本発明の洗浄用水補給手段の一形態である。湿度制御素子は、容器２７の壁面に取り付けられており、容器２７の内側に露出するとともに、ケース２５の外側にも露出している。
【００２５】
湿度制御素子は、両側を電極膜で挟まれた固体高分子電解質膜を備えた３層構造を有している。両側の電極膜に電圧を印加すると、陽極側の電極膜は、空中の水分子を電気分解して、酸素と水素を発生する。固体高分子電解質膜が水素イオン交換膜として機能し、陽極側の電極で発生した水素が、陰極側の電極膜に移動する。また、陽極側の電極膜から電源を介して陰極側の電極膜に電子が移動する。そして、陰極側の電極膜は、電気分解の逆の反応により、水素と酸素から水分子を生成する。このようにして、湿度制御素子は、陽極側の空間の水分を陰極側の空間に移動できる。
【００２６】
このような湿度制御素子は、例えば、特開平７−６８１２３号公報、特開平７−２１３８４８号公報、特開平６−６３３４３号公報および特開２０００−２０２２３１号公報で開示されている。
【００２７】
上記の湿度制御素子では、水分子を分解する側が除湿され、水分子を合成する側が加湿される。すなわち、湿度制御素子は、除湿器としても、加湿器としても利用できる。本実施の形態では、湿度制御素子を加湿器として利用し、空中の水分を集める。このために、補給装置３５は、除湿側がケース２５の外側に露出し、加湿側が容器２７の内側に露出するように、ケース２５に備えられる。
【００２８】
補給装置３５は、加湿側である容器２７の湿度を、水蒸気量が飽和状態に達するまで増加させ、これにより水分を凝結させる。すなわち、補給装置３５は、空気中に含まれる水分を収集、凝結している。この点では、補給装置３５は、凝結装置と呼んでもよい。
【００２９】
さらに、ケース２５内には、振動発生器３７が備えられている。振動発生器３７は、容器２７の壁に取り付けられている。振動発生器３７は、モータを備え、モータが回転すると容器２７の壁を振動させる。
【００３０】
その他、監視カメラ装置１は、ポール１１に沿って配設された電源ケーブル３９および映像ケーブル４１を有する。電源ケーブル３９は、監視カメラ３、モータ２３、ポンプ３３、補給装置３５、振動発生器３７といった電気機器に電力を供給する。上述の湿度制御素子の機能を得るために、補給装置３５の湿度制御素子にも、電源から電力が供給され、電圧が印加される。電力を得るために、太陽電池を備えることも好適である。また、映像ケーブル４１は監視カメラ３に接続されている。
【００３１】
次に、図１の監視カメラ装置１の動作を説明する。監視カメラ３は、遠隔操作により制御され、監視対象の映像を生成する。映像は、映像ケーブル４１を通って、通信で遠隔地のモニタに送信される。
【００３２】
洗浄装置５およびその噴出装置７は、補給装置３５および振動発生器３７等も含めて、図示しないマイクロコンピュータで制御されてもよく、適当な回路で制御されてもよい。これら構成も、監視カメラ３と同様に遠隔操作で制御されてもよい。
【００３３】
洗浄装置５は、定期的に監視カメラ５を洗浄する。洗浄時は、ポンプ３３が動作して、容器２７の洗浄用水がパイプ２９を通ってノズル３１に供給され、カメラハウジング１３の前面ガラス１９に吹き付けられる。そして、モータ２３がワイパ２１を駆動し、前面ガラス１９の洗浄用水を拭き取らせ、これにより前面ガラス１９の土埃等が取り除かれる。
【００３４】
洗浄で減少した洗浄用水は、補給装置３５によって補給される。補給装置３５は、電圧が印加されると、前述の原理に従って、空気中の水分を集めて容器２７内に供給する。すなわち、補給装置３５は、ケース２５の外側の空気中に含まれる水分を電気分解し、水素を取り込み、容器２７内の酸素と合成し、これにより容器２７内に水を補給する。補給装置３５は、加湿側である容器２７の湿度を、水蒸気量が飽和状態に達するまで増加させ、これにより凝結を生じさせる。補給装置３５は、例えば、適当な間隔をおいて、適当な時間の間、運転される。
【００３５】
補給装置３５の上述の動作により、容器２７内の壁面に水滴が付着し、水滴は壁面を伝って下方へ流れ落ちる。このとき、本実施の形態では、振動発生器３７が容器２７を振動させるので、水滴の移動が促進される。振動発生器３７は、例えば、補給装置３５の運転が停止した後、所定の時間、動作するように制御される。もちろん、振動発生器３７は、補給装置３５の運転中も動作してよい。
【００３６】
以上に説明したように、本実施の形態の噴出装置は、空気中に含まれる水分を集める補給装置を使って洗浄用水を補給しているので、水道管に接続する配管工事が不要であり、また、水道が敷設されない場所でも使用できる。また、監視カメラが高所、例えば、２０ｍ以上の場所に配置された場合でも、洗浄用水を容易に補給できる。また、人力による補給作業が不要で、作業者の確保およびそのために費用が不要であり、補給忘れも回避できる。さらに、降雨の少ない場所でも確実に洗浄用水を補給できる。
【００３７】
このようにして、本実施の形態の監視カメラ洗浄用水噴出装置は、空気中に含まれる水分を集めて容器に補給する洗浄用水補給手段を設けたことにより、低費用で確実に洗浄用水を補給することができる。
【００３８】
また、本実施の形態の監視カメラ洗浄用水噴出装置は、容器を振動させ、容器の内面に付着した水滴を下方へ移動させる振動発生手段を設けたことにより、容器の内面に付着した水滴の収集を促進できる。
【００３９】
なお、本発明の範囲内で、洗浄用水は、水でもよく、また、洗剤等が入った液体でもよい。洗剤は、図示されない補給手段から補給されてもよい。
【００４０】
次に、図２は、本発明の第２の実施の形態を示している。図１に示される第１の実施の形態と同様の構成には同一の符号が付されている。以下、第１の実施の形態で説明した事項は適宜省略する。
【００４１】
図２において、噴出装置５１は、洗浄用水の容器５３を有し、容器５３は、地上付近に備えられている。パイプ５５は、容器５３の底面から横方向に延び、上方に曲がり、カメラハウジング１３の前面ガラス１９の近傍まで延びている。そして、パイプ５５の先端のノズル５７が、前面ガラス１９に向けて配置されている。容器５３の洗浄用水をノズル５７へ供給するために、ポンプ５９が備えられている。
【００４２】
補給装置６１は、容器５３の上方に配置されている。本実施の形態の補給装置６１は、ペルチェ素子を備えている。ペルチェ素子は、冷却素子として使用することができる。補給装置６１には電源ケーブル６３が接続されている。
【００４３】
本実施の形態では、補給装置６１は、ペルチェ素子の冷却作用で冷却される。これにより、補給装置６１は、空気中の水分を凝結させることができる。すなわち、補給装置６１の水分が結露し、表面に水滴が付着する。そして、水滴が落下して、容器５３に蓄えられる。補給装置６１も凝結装置と呼ぶことができる。
【００４４】
補給装置６１は、容器５３の壁面に取り付けられてもよい。これにより、容器５３が冷却されるので、空気中の水分をより多く凝結させられる。
【００４５】
以上に説明したように、第２の実施の形態によっても、第１の実施の形態と同様、低費用で確実に洗浄用水を補給することができる。
【００４６】
次に、図３は、本発明の第３の実施の形態を示している。以下に説明するように、本実施の形態では、循環方式が採用され、洗浄用水を再利用する構造が備えられる。
【００４７】
図３では、図１に示される第１の実施の形態と同様の構成には同一の符号が付されている。以下、第１の実施の形態で説明した事項は適宜省略する。
【００４８】
図３において、噴出装置７１は、カメラハウジング１３の前端の下側、すなわち前面ガラス１９の下側に、回収トレイ７３を備えている。そして、回収トレイ７３の底面に回収パイプ７５の一端が接続されており、回収パイプ７５の他端は、ケース２５の回収室７７へと連結されている。
【００４９】
回収室７７は、容器２７の内部と壁７９で仕切られており、壁７９には、補給装置８１が備えられている。補給装置８１は、補給装置３５と同じ構成を有し、すなわち、固体高分子膜で構成される湿度制御素子を備えている。補給装置８１は、回収室７７の水分を容器２７に取り込むように配置されている。
【００５０】
また、図３においては、ノズル３１へつながるパイプ２９は、容器２７の底面に取り付けられている。
【００５１】
次に、噴出装置７１の動作を説明する。洗浄時は、洗浄用水がノズル３１から噴出され、前面ガラス１９に吹き付けられ、ワイパ２１でふき取られる。洗浄用水は、前面ガラス１９から落下し、回収トレイ７３に受け取られる。そして、洗浄用水は、回収トレイ７３から回収パイプ７５を通って回収室７７に到達する。
【００５２】
回収室７７の洗浄用水は、補給装置８１により、容器２７へと移動される。すなわち、補給装置８１に電圧が印加されると、回収室７７の水分が、前述した反応に従って容器２７に移動する。
【００５３】
以上のように、第３の実施の形態の噴出装置は、監視カメラに供給された洗浄用水を回収し、容器に再補給する再補給手段を備えており、この構成により、洗浄用水を再補給でき、効率よく洗浄用水を利用できる。
【００５４】
なお、本実施の形態の変形例として、回収室と容器の間にはフィルタ等の濾過装置が備えられてもよい。
【００５５】
次に、図４は、本発明の第４の実施の形態を示している。図４は、洗浄用水の容器の部分のみを示している。本実施の形態の全体的な構成は、図１の第１の実施の形態と同様であり、ここでは説明を省略する。
【００５６】
図４において、補給装置３５は容器２７の壁９１に備えられている。補給装置３５は前述のように湿度制御素子を備え、湿度制御素子の両側の電極が電源９３に接続されている。そして、電源供給線９５には電源スイッチ９７が設けられている。
【００５７】
容器２７の壁９１には、さらに、水位センサ９３が取り付けられている。水位センサ９９は、上限センサ１０１および下限センサ１０３を有し、上限センサ１０１および下限センサ１０３は、予め定めた水位の上限および下限に対応する位置に設けられている。水位の上下限は、洗浄に必要な適当量の洗浄用水が確保できる位置に設定されている。水位センサ９９には制御スイッチ１０５が接続され、制御スイッチ１０５は、水位センサ９９の検出信号に応じて、電源供給線９５の電源スイッチ９７に制御信号を送る。
【００５８】
洗浄用水が使用され、水位が下限に達すると、水位低下が上限センサ１０３により検出され、制御スイッチ１０５が動作して、電源スイッチ９７を閉じる。これにより、補給装置３５が動作して、補給が開始し、容器２７に洗浄用水が補給される。洗浄用水が増加して、上限に達すると、水位上昇が上限センサ１０１に検出され、制御スイッチ１０５が動作して、電源スイッチ９７を開く。これにより、補給装置３５が停止し、洗浄用水の補給も停止する。こうして、本実施の形態では、容器３５の水位が上下限のセンサの間に一定に保たれる。
【００５９】
以上のように、第３の実施の形態の噴出装置は、容器内の水量を検出する水量検出手段と、容器内の水量に応じて洗浄水補給手段を制御する補給制御手段とを備えたので、洗浄に必要な適当量の洗浄用水を蓄えた状態を維持できる。
【００６０】
次に、図５は、本発明の第５の実施の形態を示している。図５では、図１に示される第１の実施の形態と同様の構成には同一の符号が付されている。以下、第１の実施の形態で説明した事項は適宜省略する。
【００６１】
図５において、容器２７には、水位センサ１１１が備えられている。水位センサ１１１は、容器が空の状態から満杯の状態の間で、洗浄用水が任意の量のときの水位を検出する。水位センサ１１１の検出信号は制御装置１１３に送られる。
【００６２】
制御装置１１３は、監視カメラ装置１を遠隔制御する装置であり、パーソナルコンピュータで構成される。ユーザは、制御装置１１３のボタンを操作して、洗浄水の噴出を指示できる。このボタン操作に応じて、制御装置１１３から制御信号が送られ、ポンプ３３が動作して、容器２７の洗浄用水がノズル３１から噴射される。１回のボタン操作に対するポンプの動作時間が決まっており、したがって、１回の噴射量も予め決まっている。
【００６３】
制御装置１１３は、水位センサ１１１の検出信号を以下のように利用する。制御装置１１３は、水位センサ１１１の検出信号から容器内の水位を求める。そして、制御装置１１３は、容器内の水位に基づいて残回数を算出する。残回数は、容器内の洗浄用水で洗浄が可能な回数であり、すなわち、洗浄可能回数である。上述のように、１回の洗浄で消費される水量は決まっている。また、本実施の形態では、容器の水平断面形状が一定であり、したがって、１回の水位変化量が決まっている。そこで、現在の水位が、１回当たり水位変化量で割られる。制御装置１１３は、算出された残回数を出力する。ここでは、残回数がモニタ１１５に表示される。なお、洗浄可能回数とともに残水位が表示されてもよい。ユーザは、監視モニタ１１５の残回数の表示を見て、制御装置１１３を適切に操作できる。
【００６４】
以上に説明したように、第５の実施の形態の噴出装置は、容器内の水量を検出する水位検出手段と、容器内の水量に基づいて、容器内の洗浄用水による洗浄可能回数を算出する回数算出手段と、算出された洗浄可能回数を出力する出力手段とを備えたので、容器内の洗浄用水を使って洗浄可能な回数を容易に把握できる。
【００６５】
次に、図６は、本発明の第６の実施の形態を示している。第６の実施の形態は、上述の第５の実施の形態の変形例に相当する。図６の構成では、監視カメラ側に、文字発生器１２１が備えられる。文字発生器１２１はコンピュータで構成されている。文字発生器１２１は、監視カメラ内のコンピュータでもよい。
【００６６】
文字発生器１２１は、図５の制御装置と同様、水位センサ１１１の検出信号に基づいて残回数（洗浄可能回数）を算出する回数算出機能をもつ。文字発生器１２１は、残回数を表す文字情報を発生する。この文字情報は多重化装置１２３に供給され、多重化装置１２３は、監視カメラ３から得られる映像信号に、文字発生器１２１から供給される文字を重畳する。こうして多重化された映像信号は、遠隔地にある監視モニタ１２５に送られ、表示される。監視モニタ１２５では、監視カメラ装置１が写した監視画像の一部に、残回数が表示される。ユーザは、監視モニタ１２５の残回数の表示を見て、制御盤１２７を適切に操作できる。
【００６７】
以上に説明したように、第６の実施の形態によっても、容器内の洗浄用水を使って洗浄可能な回数を容易に把握できる。
【００６８】
次に、図７は、本発明の第７の実施の形態を示している。図７では、図１に示される第１の実施の形態と同様の構成には同一の符号が付されている。以下、第１の実施の形態で説明した事項は適宜省略する。
【００６９】
本実施の形態では、噴出装置７を制御する制御装置１３１が備えられており、制御装置１３１はマイクロコンピュータで構成されている。図では、説明を分かりやすくするために、制御装置１３１をブロックで示しているが、実際には、制御装置１３１は、ケース２５に収容される。制御装置１３１は、補給装置３５のオンオフを制御する。また、制御装置１３１は、図示されないが、噴出装置７の他の構成であるポンプ３３および振動発生器３７をも制御する。
【００７０】
制御装置１３１は照度センサ１３３に接続されており、照度センサ１３３から照度を示す検出信号が入力される。照度センサ１３３は、夜間になったことを検出する手段として機能する。
【００７１】
制御装置１３１は、照度センサ１３３からの検出信号を基に、照度が所定の値以下になると、夜間であると判断する。制御装置１３１は、夜間になると、補給装置３５を制御して、湿度制御素子に電力を供給し、洗浄用水を補給させる。制御装置１３１は、夜間の間、すなわち、照度が所定値以下の間、継続的に補給装置３５を動作させてもよい。また、制御装置１３１は、予め決められた所定の時間、補給装置３５を動作させてもよい。また、制御装置１３１は、補給装置３５の運転が終了した後、所定の時間、振動発生器３７を動作させる。
【００７２】
このように、第７の実施の形態によれば、夜間に容器に水を補給するように洗浄用水補給手段を制御する補給制御手段を設けたので、温度が低い夜間に補給手段を動作させることができ、効率よく洗浄用水を補給できる。
【００７３】
また、照度センサ１３３は、好ましくは、図示のように、監視カメラ３に備えられる。従来から、監視カメラ３は、照度センサ１３３を備えているものが多く、照度センサ１３３を使って、照度が低下すると、夜間になったと判断している。そして、監視カメラ３は、通常の撮影モードを、近赤外線を使った撮影モードへと切り替えている。このような監視カメラ３の照度センサ１３３を噴出装置７の制御にも利用することで、より低コストで、本実施の形態の噴出装置７を実現できる。
【００７４】
また、夜間か否かは、照度センサ１３３以外の手段により検出されてもよい。例えば、タイマが使われてよい。制御装置１３１の内蔵するタイマが好適に利用される。
【００７５】
また、本実施の形態では、制御装置１３１はマイクロコンピュータであったが、制御装置１３１は、コンピュータを含まない、補給装置３５のオンオフ機能をもった適当な回路で構成されてもよい。また、制御装置１３１は、噴出装置７を遠隔制御するように構成されてもよい。
【００７６】
また、制御装置１３１は、夜間運転制御に加えて、前述の水位に基づく制御も行ってよい。この場合、制御装置１３１は、水位が低下したときに、夜間に補給装置３５を運転する。
【００７７】
次に、図８は、本発明の第８の実施の形態を示している。図８では、図１に示される第１の実施の形態と同様の構成には同一の符号が付されている。以下、第１の実施の形態で説明した事項は適宜省略する。
【００７８】
本実施の形態でも、噴出装置７を制御する制御装置１４１が備えられており、制御装置１４１はマイクロコンピュータで構成され、噴出装置７の全体と共に、補給装置３５のオンオフを制御する。また、制御装置１４１はブロックで示しているが、実際には、ケース２５に収容される。
【００７９】
制御装置１４１は雨滴センサ１４３に接続されており、雨滴センサ１４３から降雨を示す検出信号が入力される。雨滴センサ１４３はマイクを備えている。そして、マイクが検出した音の波形が雨音に対応するか否かによって、降雨が検出される。
【００８０】
制御装置１４１は、雨滴センサ１４３からの検出信号を基に、降雨が発生しているか否かを判断する。降雨が発生すると、制御装置１４１は、補給装置３５を制御して、湿度制御素子に電力を供給し、洗浄用水を補給させる。制御装置１４１は、降雨が検出されている間は継続的に補給装置３５を動作させてもよい。また、制御装置１４１は、予め決められた所定の時間、補給装置３５を動作させてもよい。また、制御装置１４１は、補給装置３５の運転が終了した後、所定の時間、振動発生器３７を動作させる。
【００８１】
このように、第８の実施の形態によれば、降雨を検出する降雨検出手段と、降雨が検出されたときに前記容器に水を補給するように洗浄用水補給手段を制御する補給制御手段とを設けたので、湿度が比較的高い降雨時に補給手段を動作させることができ、効率よく洗浄用水を補給できる。
【００８２】
本実施の形態においては、雨滴センサが、降雨検出手段として機能している。しかし、降雨は、雨滴センサ以外の手段によって検出されてもよい。例えば、降雨は湿度計を用いて検出されてもよい。また、降雨は、監視カメラ３の映像を画像処理することによって検出されてもよい。この場合、例えば、監視カメラ側またはモニタ側で画像処理が行われ、降雨発生を示す情報が制御装置１４１に送られる。
【００８３】
また、上述の実施の形態と同様、本実施の形態でも、制御装置１４１はマイクロコンピュータであったが、制御装置１４１は、コンピュータを含まない、補給装置３５のオンオフ機能をもった適当な回路で構成されてもよい。
【００８４】
さらに、制御装置１４１は、降雨運転制御に加えて、前述の水位に基づく制御も行ってよい。この場合、制御装置１４１は、水位が低下し、降雨が発生したときに、補給装置３５を運転する。
【００８５】
さらにまた、本実施の形態は、上述した夜間運転制御の実施の形態と組み合わされてもよい。夜間で降雨時に補給が行われる。夜間の降雨時で、水位が低下しているときに補給が行われてもよい。
【００８６】
以上に本発明の好適な実施の形態を説明した。しかし、本発明は上述の実施の形態に限定されず、当業者が本発明の範囲内で上述の実施の形態を変形可能なことはもちろんである。また、本発明の範囲内で、上記で説明された各種の要素の任意の組合せが可能なことももちろんである。
【産業上の利用可能性】
【００８７】
以上のように、本発明にかかる監視カメラ洗浄用水噴出装置は、低費用で確実に洗浄用水を補給できるという効果を有し、監視カメラ等の洗浄に利用できる。
【図面の簡単な説明】
【００８８】
【図１】本発明の第１の実施の形態における、監視カメラ装置に備えられた監視カメラ洗浄用水噴出装置を示す図
【図２】本発明の第２の実施の形態における、監視カメラ装置に備えられた監視カメラ洗浄用水噴出装置を示す図
【図３】本発明の第３の実施の形態における、監視カメラ装置に備えられた監視カメラ洗浄用水噴出装置を示す図
【図４】本発明の第４の実施の形態における、監視カメラ装置に備えられた監視カメラ洗浄用水噴出装置を示す図
【図５】本発明の第５の実施の形態における、監視カメラ装置に備えられた監視カメラ洗浄用水噴出装置を示す図
【図６】本発明の第６の実施の形態における、監視カメラ装置に備えられた監視カメラ洗浄用水噴出装置を示す図
【図７】本発明の第７の実施の形態における、監視カメラ装置に備えられた監視カメラ洗浄用水噴出装置を示す図
【図８】本発明の第８の実施の形態における、監視カメラ装置に備えられた監視カメラ洗浄用水噴出装置を示す図
【図９】従来の監視カメラ洗浄用水噴出装置を示す図
【図１０】従来の監視カメラ洗浄用水噴出装置を示す図
【符号の説明】
【００８９】
３  監視カメラ装置
５  洗浄装置
７  監視カメラ洗浄用水噴出装置
２７  容器
２９  パイプ
３１  ノズル
３５  洗浄用水補給装置
３７  振動発生器
【図１】
2005241701.tif 000003
【図２】
2005241701.tif 000004
【図３】
2005241701.tif 000005
【図４】
2005241701.tif 000006
【図５】
2005241701.tif 000007
【図６】
2005241701.tif 000008
【図７】
2005241701.tif 000009
【図８】
2005241701.tif 000010
【図９】
2005241701.tif 000011
【図１０】
2005241701.tif 000012